(57)【要約】    【課題】肌に直接ふれる態様で着用することができ且つ体型補正機能を備えた下着の提供。    【解決手段】この下着１０は、パンティ本体１２と、第１補正布１３と、第２補正布１４と、連結布１５を介して第１補正布１３及び第２補正布１４に連結されたマチ部材１１とを有する。パンティ本体１２、第１補正布１３及び第２補正布１４は、所定の伸縮性を有する生地からなる。連結布１５は、２ウェイ伸縮性生地からなる。マチ部材１１は、パンティ本体１２の股部の内側に重ね合わされている。マチ部材１１は、肌に接触して吸汗する吸水性及び柔軟性を備えている。【選択図】図３
2006104641.tif 000002
【特許請求の範囲】
【請求項１】
体型補正を行う伸縮性を有する生地からなり、ウエストバンド及び一対のレッグホールが設けられたパンティ本体と、
体型補正を行う伸縮性を有する生地からなり、パンティ本体の腰部及び腹部の内側を囲繞するように配置された第１補正布と、
体型補正を行う伸縮性を有する生地からなり、パンティ本体の腰部及び臀部の内側を覆うように配置された第２補正布と、
第１補正布の上記腹部側の下縁に延設された２ウェイ伸縮生地からなる連結布と、
連結布の下縁と第２補正布の下縁とに連結され、パンティ本体の股部の内側に重ね合わされたマチ部材とを有し、
マチ部材は、肌に接触して吸汗する吸水性及び柔軟性を備えている下着。
【請求項２】
体型補正を行う伸縮性を有する生地からなり、ウエストバンド及び一対のレッグホールが設けられたパンティ本体と、
体型補正を行う伸縮性を有する生地からなり、パンティ本体の腰部及び腹部の内側を囲繞するように配置された第１補正布と、
体型補正を行う伸縮性を有する生地からなり、パンティ本体の腰部及び臀部の内側を覆うように配置された第２補正布と、
第１補正布の上記腹部側の下縁に延設された２ウェイ伸縮生地からなる連結布と、
連結布の下縁と第２補正布の下縁とに連結され、パンティ本体の股部の内側に重ね合わされたマチ部材とを有し、
マチ部材は、防水性及び柔軟性を備えている下着。
【請求項３】
上記連結布は、上記第１補正布の一部により構成されている請求項１に記載の下着。
【請求項４】
上記連結布は、上記第１補正布の一部により構成されている請求項２に記載の下着。
【発明の詳細な説明】
【技術分野】
【０００１】
本発明は、下着に関し、より詳しくは、体型補正機能を有する下着の構造に関するものである。
【背景技術】
【０００２】
従来から体型を補正するための下着が提供されている。体型補正機能を備えた下着としては、典型的には「ガードル」と称されるものがある。カードルは、肌に直接ふれる下着に重ねて着用される。ガードルは、体型補正機能を担保するために、一般に立体裁断された伸縮性に富む生地からなり、着用者の身体の所定部を締め付けることによって体型を補正する（例えば、特許文献１参照）。
【０００３】
【特許文献１】特開２００１−３２９４０１公報
【発明の開示】
【発明が解決しようとする課題】
【０００４】
ところが、従来のガードルは体型補正機能を重視したものであるから、着用者は、肌に直接ふれる下着に代えてガードルを直接着用することはできなかった。なぜなら、ガードルを構成する生地が十分な吸汗性等の機能を有していないために肌が蒸れるおそれがあり、また、生地の強い伸縮性のために、特に陰部等のデリケートな部位に生地（マチ部）が食い込んでしまうおそれがあるからである。さらに、肌に直接ふれる下着は、生理用品（吸水パッド等）を取り付けることができるものであることが望ましいが、従来のガードルでは、生地の伸縮性が強く、マチ部等に生理用品を取り付けることは困難であった。
【０００５】
そこで、本発明の目的は、肌に直接ふれる態様で着用することができ且つ体型補正機能を備えた下着を提供することである。
【課題を解決するための手段】
【０００６】
(1) 上記目的が達成されるため、本発明に係る下着は、体型補正を行う伸縮性を有する生地からなり、ウエストバンド及び一対のレッグホールが設けられたパンティ本体と、体型補正を行う伸縮性を有する生地からなり、パンティ本体の腰部及び腹部の内側を囲繞するように配置された第１補正布と、体型補正を行う伸縮性を有する生地からなり、パンティ本体の腰部及び臀部の内側を覆うように配置された第２補正布と、第１補正布の上記腹部側の下縁に延設された２ウェイ伸縮生地からなる連結布と、連結布の下縁と第２補正布の下縁とに連結され、パンティ本体の股部の内側に重ね合わされたマチ部材とを有する。このマチ部材は、肌に接触して吸汗する吸水性及び柔軟性を備えている。
【０００７】
この構成によれば、パンティ本体、第１補正布及び第２補正布が着用者の体型を補正する。また、マチ部材がパンティ本体の股部の内側に重ね合わされており、しかもこのマチ部材が肌に接触して吸汗する吸水性及び柔軟性を備えているから、当該下着は、肌に直接触れる下着として機能することができる。
【０００８】
このマチ部材は柔軟性を備えているから、当該マチ部材に吸水パッド等の生理用品が装着され得る。したがって、当該下着は、失禁用下着としても機能することができる。しかも、このマチ部材は、２ウェイ伸縮生地からなる連結布を介して上記第１補正布及び第２補正布に連結されるから、着用者の身体の動きに追従することができる。この連結布は、上記第１補正布の一部により構成されているのが好ましい。
【０００９】
(2) 上記目的が達成されるため、本発明に係る下着は、体型補正を行う伸縮性を有する生地からなり、ウエストバンド及び一対のレッグホールが設けられたパンティ本体と、体型補正を行う伸縮性を有する生地からなり、パンティ本体の腰部及び腹部の内側を囲繞するように配置された第１補正布と、体型補正を行う伸縮性を有する生地からなり、パンティ本体の腰部及び臀部の内側を覆うように配置された第２補正布と、第１補正布の上記腹部側の下縁に延設された２ウェイ伸縮生地からなる連結布と、連結布の下縁と第２補正布の下縁とに連結され、パンティ本体の股部の内側に重ね合わされたマチ部材とを有する。このマチ部材は、防水性及び柔軟性を備えている。
【００１０】
この構成によれば、パンティ本体、第１補正布及び第２補正布が着用者の体型を補正する。また、マチ部材がパンティ本体の股部の内側に重ね合わされており、しかもこのマチ部材が柔軟性を備えているから、当該下着は、肌に直接触れる下着としても機能することが可能である。
【００１１】
このマチ部材は防水性を備えているから、サニタリー用下着としても機能する。本明細書においては、防水性とは、撥水性を含む概念である。吸水パッド等の生理用品がこのマチ部に装着されてもよい。このマチ部材は、２ウェイ伸縮生地からなる連結布を介して上記第１補正布及び第２補正布に連結されるから、着用者の身体の動きに追従することができる。この連結布は、上記第１補正布の一部により構成されているのが好ましい。
【発明の効果】
【００１２】
本発明に係る下着は、パンティ本体、第１補正布及び第２補正布によって体型補正機能を発揮すると共に、マチ部材が備えられているので、肌に直接ふれる通常の下着として機能する。しかも、マチ部材が着用者の身体の動きに追従するので、生理用品が確実にマチ部材に取り付けられる。したがって、当該下着は、失禁用下着としてあるいはサニタリー用下着として機能する。
【発明を実施するための最良の形態】
【００１３】
以下、適宜図面が参照されつつ、好ましい実施形態に基づいて本発明が詳細に説明される。
【００１４】
図１は、本発明の一実施形態に係る下着の正面図、図２は背面図である。また、図３は、本発明の一実施形態に係る下着が裏返された状態における正面図、図４は背面図である。
【００１５】
この下着１０は体型補正機能を備えており、ガードルとして機能する。さらに、この下着１０は、後述のようにマチ部材１１（図３、図４参照）を備えており、これにより、下着１０は、ガードルとして機能しつつ直接肌に触れる下着として着用されるようになっており、さらには、失禁用下着としてあるいはサニタリー用下着としても機能する。
【００１６】
下着１０は、図１及び図２が示すように、パンティ本体１２と、これに縫い付けられた第１補正布１３（図１参照）及び第２補正布１４（第２参照）とを備えている。また、下着１０は、図３及び図４が示すように、マチ部材１１を備えており、このマチ部材１１は、連結布１５（図３参照）を介して上記第１補正布１３及び第２補正布１４に連結されている。
【００１７】
図１及び図２が示すように、パンティ本体１２は、ウエストバンド１６を備えており、着用者の腰にフィットするようになっている。なお、このウエストバンド１６は、省略されてもよい。また、パンティ本体１２は、一対のレッグホール１７、１８を有し、着用者の両足がこれらレッグホール１７、１８に挿通されるようになっている。レッグホール１７、１８の周縁部１９、２０には、レース等が縫い付けられるが、これは省略されてもよい。
【００１８】
パンティ本体１２は、体型補正を行うために十分な伸縮性を備えた生地から構成されるが、そのような伸縮性を有する限り特に生地の種類は限定されるものではなく、既知の種々の生地から構成される。パンティ本体１２は、図２及び図４が示すように、生地が後側部分２１、２２で縫い合わされることによって形成されている。本実施形態では、パンティ本体１２は股部３７を備えており、この股部３７を構成する生地が当該パンティ本体１２に縫い付けられている。なお、上記ウエストバンド１６は、パンティ本体１２の上部２３に縫い付けられている。
【００１９】
図２及び図４が示すように、第２補正布１４は、パンティ本体１２の後側に縫い付けられている。具体的には、第２補正布１４は、パンティ本体１２の後部略中央部２６、臀部周縁部２７及び上記後側部分２２に沿って縫い付けられている。すなわち、第２補正布１４は、上記後側部分２２においてパンティ本体１２を構成する生地と共に縫い付けられている。第２補正布１４は略瓢箪形を呈しており、パンティ本体１２の腰部２４及び臀部２５の内側を覆うように配置されている。この第２補正布１４は、パンティ本体１２を構成する生地と同様に、体型補正を行うために十分な伸縮性を備えた生地から構成される。ただし、第２補正布１４を構成する生地は、かかる伸縮性を有する限り特にその種類は限定されるものではなく、既知の生地が採用され得る。
【００２０】
図１及び図３が示すように、第１補正布１３は、パンティ本体１２の腹部２８及び腰部２４（図２、図４参照）を取り囲むように縫い付けられている。具体的には、第１補正布１３は、パンティ本体１２の上部２３、パンティ本体１２の腹部２８の下縁２９及び腰部２４の下縁３０（図２、図４参照）に沿って縫い付けられている。第１補正布１３は帯状を呈しており、パンティ本体１２の腰部２４及び臀部２５の内側を覆うように配置されている。本実施形態では、第１補正布１３は、第２補正布１４の上に重ね合わされるように縫い付けられている。この第１補正布１３は、パンティ本体１２を構成する生地と同様に、体型補正を行うために十分な伸縮性を備えた生地から構成される。ただし、第１補正布１３を構成する生地は、かかる伸縮性を有する限り特にその種類は限定されるものではなく、既知の生地が採用され得る。
【００２１】
さらに、本実施形態では、図１が示すように、パンティ本体１２の腹部２８の中央部に第３補正布３１が縫い付けられている。この第３補正布３１は、略Ｕ字状を呈し、上記第１補正布１３の上に重ね合わされるように配置されている。第３補正布３１は、特に着用者の腹部を補正する。なお、この第３補正布３１は、省略されていてもよい。
【００２２】
図３が示すように、連結布１５は、第１補正布１３の上記下縁２９に延設されており、下方へ（すなわち股部側へ）延びている。連結布１５は、２ウェイ伸縮生地からなる。この２ウェイ伸縮生地とは、縦方向にも横方向にも伸縮可能な生地を意味する。本実施形態では、連結布１５は、第１補正布１３と一体的に形成されている。つまり、連結布１５は、第１補正布１３の一部によって構成されている。もっとも、連結布１５は、第１補正布１３とは別部材として構成され、これが上記下縁２９に沿って縫い付けられていてもよい。連結布１５は、上記下縁２９に沿ってのみ縫い付けられており、したがって、連結部１５の上記下縁２９以外の部分は、パンティ本体１２の内側に単に重ね合わせられているのみである。
【００２３】
図３及び図４が示すように、マチ部材１１は、パンティ本体１２を構成する生地とは異なる生地により構成されている。マチ部材１１は、肌に直接ふれる下着に採用される生地からなり、肌に接触して吸汗する吸水性及び柔軟性を備えている。本実施形態では、このマチ部材１１を構成する生地として、綿生地（典型的には「コットシート」（登録商標））が採用され得る。マチ部材１１がコットシート（登録商標）から構成されることによって、下着１０は、肌触りがソフトで、着用しやすいものとなる。また、コットシート（登録商標）によってマチ部材１１が構成されることによって、マチ部材１１が吸水性に優れたものとなり、しかも汚れが落ちやすく衛生的であるという利点もある。
【００２４】
マチ部材１１は、これらの図が示すように細長シート状に形成されており、その一端部３２が上記連結布１５の下縁３３に縫い付けられ（図３参照）、その他端部３４が上記第２補正布１４の下縁３５に縫い付けられている（図４参照）。すなわち、このマチ部材１１の他端部３４は、上記後側部分２２において、パンティ本体１２を構成する生地及び第２補正布１４と共に縫い合わせられている。ただし、マチ部材１１は、その一端部３２及び他端部３４のみがパンティ本体１２側に縫い付けられているのみであるから、当該一端部３２及び他端部３４以外の部分は、パンティ本体１２の内側に単に重ね合わせられているのみである。
【００２５】
この下着１０が着用されると、パンティ本体１２、第１補正布１３及び第２補正布１４を構成する生地が前述のような伸縮性を備えているから、着用者の体型が補正される。また、マチ部材１１がパンティ本体１２の股部３７の内側に重ね合わされており、しかもこのマチ部材１１が肌に接触して吸汗する吸水性を備えているから、この下着１０は、肌に直接触れる下着として機能することができ、着用者は、肌に直接触れる下着に代えてこの下着を着用することができる。すなわち、従来では、着用者は、ガードルを着用する場合には別途通常の下着を重ね着する必要があったが、この下着１０は、そのような重ね着が不要であり、一枚で通常の下着の機能と体型補正機能とを発揮する。
【００２６】
さらに、マチ部材１１は柔軟性を備えているから、着用者は、マチ部材１１に吸水パッド等の生理用品を装着することができる。また、マチ部材１１が高い吸水性を備えた生地から構成されていてもよい。これにより、下着１０は、失禁用下着としても機能する。しかも、このマチ部材１１は、２ウェイ伸縮生地からなる連結布１５を介して第１補正布１３及び第２補正布１４に連結されているから、マチ部材１１がパンティ本体１２に対して相対的に移動（スライド）することができ、これにより、下着１０は、着用者の身体の動きに追従することができるという利点がある。
【００２７】
加えて、本実施形態では、上記連結布１５は、第１補正布１３の一部により構成されているから、下着１０の製造工程が削減され、合理的に製造することができるという利点もある。
【００２８】
前述のように本実施形態では、マチ部材１１は、肌に直接ふれる下着に採用される生地からなり、肌に接触して吸汗する吸水性及び柔軟性を備えている。ただし、マチ部材１１を構成する生地は、これに限定されるものではなく、他のものが採用されてもよい。マチ部材１１を構成する生地としては、例えば撥水性ないし防水性及び柔軟性を備えた生地が採用されてもよい。撥水性ないし防水性を備えた生地としては、ポリウレタン、ナイロンその他の樹脂等である。マチ部材１１が撥水性ないし防水性及び柔軟性を備えた生地から構成されることによって、下着１０は、サニタリー用下着としても機能する。
【００２９】
加えて、マチ部材１１が前述されたような吸水性を備えた生地から構成される場合には、このマチ部材１１の外面側に撥水処理が施されているものであってもよい。撥水処理としては既知の手段が採用され、例えば撥水フィルムがマチ部材１１の外面に張り付けられていてもよいし、マチ部材１１の外面に撥水塗料が塗布されていてもよい。このように、マチ部材１１に撥水処理がなされることによって、下着１０は、肌触りがソフトで、着用しやすいサニタリー用下着として機能し得る。
【産業上の利用可能性】
【００３０】
本発明は、下着に適用され得る。
【図面の簡単な説明】
【００３１】
【図１】図１は、本発明の一実施形態に係る下着の正面図である。
【図２】図２は、本発明の一実施形態に係る下着の背面図である。
【図３】図３は、本発明の一実施形態に係る下着が裏返された状態における正面図である。
【図４】図４は、本発明の一実施形態に係る下着が裏返された状態における背面図である。
【符号の説明】
【００３２】
１０・・・下着
１１・・・マチ部材
１２・・・パンティ本体
１３・・・第１補正布
１４・・・第２補正布
１５・・・連結布
２１・・・後側部分
２２・・・後側部分
２３・・・パンティ本体の上部
２４・・・パンティ本体の腰部
２５・・・パンティ本体の臀部
２６・・・後部中央部
２７・・・臀部周縁部
２８・・・パンティ本体の腹部
２９・・・腹部の下縁
３０・・・腰部の下縁
３２・・・マチ部材の一端部
３３・・・連結布の下縁
３４・・・マチ部材の他端部
３５・・・第２補正布の下縁
【図１】
2006104641.tif 000003
【図２】
2006104641.tif 000004
【図３】
2006104641.tif 000005
【図４】
2006104641.tif 000006